(57)【要約】【課題】冷却風を利用した冷却方法の冷却効率を更に向上させる。【解決手段】フィルタユニット１３０が、フィルタ本体１３１と、ブラシ１３２とを備えている。フィルタ本体１３１は、ノートＰＣの本体ユニットに設けられた開口に対して着脱自在に取り付けられることでその開口の奥に位置する。そして、このフィルタ本体１３１は、冷却風が通過することでその冷却風から、その冷却風に混入した異物を除く。ブラシ１３２は、フィルタ本体１３１の、冷却風の流れを遮断する位置を避けた位置に着脱自在に固定される、ノートＰＣの本体ユニットの内部を清掃するための清掃具である。【選択図】        図４
2010283018.tif 000002
【特許請求の範囲】
【請求項１】
電子機器の筐体に設けられた開口に対して着脱自在に取り付けられることで該開口の奥に位置する、該電子機器内の被冷却物へと流れる冷却風が通過することで該冷却風から、該冷却風に混入した異物を除くフィルタ本体と、
前記フィルタ本体の、前記冷却風の流れを遮断する位置を避けた位置に、該フィルタ本体と一体あるいは着脱自在に設けられた、前記開口を介して前記電子機器の内部を清掃するための清掃具とを備えたことを特徴とするフィルタユニット。
【請求項２】
前記フィルタ本体は、前記冷却風の流れを横切る方向に並べられた複数の第１リブを有するものであり、
前記清掃具が、前記フィルタ本体に着脱自在に固定される、前記複数の第１リブと交差する第２リブを兼ねたものであることを特徴とする請求項１記載のフィルタユニット。
【請求項３】
前記フィルタ本体は、前記開口を塞ぐ蓋を有しているものであり、
前記清掃具は、前記蓋から前記冷却風の流れの脇へと延びた柄と、該柄の先端に取り付けられた、前記異物を除去するための除去部材とを有するものであることを特徴とする請求項１記載のフィルタユニット。
【請求項４】
開口が設けられた筐体；
前記筐体内の、前記開口の脇に配置された被冷却物；
前記筐体に搭載される、前記開口の奥を経由して前記被冷却物に冷却風を吹きつけるファン；および、
前記開口に対して着脱自在に取り付けられることで該開口の奥に位置する、前記冷却風が通過することで該冷却風から、該冷却風に混入した異物を除くフィルタ本体と、該フィルタ本体の、前記冷却風の流れを遮断する位置を避けた位置に、該フィルタ本体と一体あるいは着脱自在に設けられた、前記開口を介して前記開口の奥を清掃するための清掃具とを有するフィルタユニット；
を備えたことを特徴とする電子機器。
【発明の詳細な説明】
【技術分野】
【０００１】
本件は、冷却風に混入した異物を除くフィルタユニットと、そのようなフィルタユニットが搭載された電子機器とに関する。
【背景技術】
【０００２】
パーソナルコンピュータ等に代表される、情報処理機能を有した電子機器の多くは、処理を実行して熱を発するＣＰＵ等の電子部品を備えている。これらの電子部品は、自身が発熱体である一方で、温度が上昇し過ぎると誤動作を起こすおそれがある。そのため、このような電子機器の多くでは、例えばラジエータ等の放熱部品に電子部品の熱を集めておき、その放熱部品に冷却風を吹き付けることでその熱を排出する等といった方法により電子部品が適宜に冷却されている。
【０００３】
このとき、電子機器内部には埃等の異物が存在していることが多く、冷却風にそれらの異物が混入することが多い。ラジエータ等の放熱部品の多くは、放熱効率を向上させるために細かな構造の放熱フィンを備えている。その結果、上記のように冷却風に混入した異物が、冷却風が吹き付けられる放熱部品の放熱フィン等に目詰まりを起こさせてしまう恐れがある。そして、そのような目詰まりは、冷却風の流れを妨げてしまい、延いては、このような冷却風を用いた冷却方法における冷却効率の低下を招いてしまう。そこで、このような冷却方法が採用されている電子機器では、冷却風に混入した異物を除くために、多くの場合、冷却風が通過することでその冷却風に混入した異物を除くフィルタユニットが設置されている。
【０００４】
このような冷却風に混入した異物を除去する方法ではないが、例えば、洗濯機内の水に混入した異物を除去するためのフィルタユニットが提案されている（例えば、特許文献１参照。）。また、掃除機内の集塵用の風から塵を除去するためのフィルタユニット等も提案されている（例えば、特許文献２参照。）。また、これらのフィルタユニットは、そのフィルタユニット自体の目詰まりを防ぐために、ブラシ等で適宜に清掃されるようになっている。上記のようなフィルタユニットを有する電子機器でも、多くの場合、そのフィルタユニットが適宜に清掃されるようになっている。
【先行技術文献】
【特許文献】
【０００５】
【特許文献１】特開２００７−１６７５０１号公報
【特許文献２】特開２００８−１９４４３９号公報
【発明の概要】
【発明が解決しようとする課題】
【０００６】
ここで、近年、ＣＰＵ等の電子部品における処理速度の上昇等によって発熱量が増加する傾向にある。そのため、上記のように冷却風を利用した冷却方法でも、更なる冷却効率の向上が求められている。
【０００７】
一方で、フィルタユニットによる異物の除去を採用した上記の冷却方法では、そのフィルタユニットにおいて冷却風から異物を除去する能力は、異物を漉し取る部分の目が細かい程高い。しかしながら、異物を漉し取る部分の目が細かい程、上記の冷却風の流れを妨げて冷却効率を低下させてしまう。このため、異物除去と冷却効率の高レベルでの両立が難しい。
【０００８】
本件は上記事情に鑑み、冷却風を利用した冷却方法の冷却効率と、その冷却風からの異物除去との双方を向上させることができるフィルタユニット、および、そのようなフィルタユニットが搭載された電子機器を提供することを目的とするものである。
【課題を解決するための手段】
【０００９】
上記目的を達成するフィルタユニットの基本形態は、フィルタ本体と、清掃具とを備えている。
【００１０】
フィルタ本体は、電子機器の筐体に設けられた開口に対して着脱自在に取り付けられることでその開口の奥に位置するものである。また、このフィルタ本体は、その電子機器内の被冷却物へと流れる冷却風が通過することでその冷却風から、その冷却風に混入した異物を除くものである。
【００１１】
清掃具は、上記フィルタ本体の、上記冷却風の流れを遮断する位置を避けた位置に、そのフィルタ本体と一体あるいは着脱自在に設けられた、上記開口を介して上記電子機器の内部を清掃するためのものである。
【００１２】
また、上記目的を達成する電子機器の基本形態は、筐体、被冷却物、ファン、および上記フィルタユニットを備えている。
【００１３】
筐体は、開口が設けられたものである。
【００１４】
被冷却物は、上記筐体内の、上記開口の脇に配置されたものである。
【００１５】
ファンは、上記筐体に搭載される、上記開口の奥を経由して上記被冷却物に冷却風を吹きつけるものである。
【発明の効果】
【００１６】
本件によれば、冷却風を利用した冷却方法の冷却効率と、その冷却風からの異物除去との双方を向上させることができる。
【図面の簡単な説明】
【００１７】
【図１】基本形態について説明した電子機器の具体的な実施形態であるノート型のパーソナルコンピュータ（ノートＰＣ）の外観図である。
【図２】図１の表示ユニットが本体ユニットに対し閉じた状態にあるパーソナルコンピュータを、表示ユニットを下側にして本体ユニットの下面が見えるように示した外観図である。
【図３】図２に示すフィルタユニットが取り外された状態を示す図である。
【図４】本体ユニット内における冷却構造を示す図である。
【図５】図４のラジエータを詳細に示す斜視図である。
【図６】図３に示すフィルタユニットの拡大斜視図である。
【図７】図６に示す複数のリブそれぞれに設けられた切込みからブラシが取り外された様子を示す図である。
【図８】図７に示すブラシを使った清掃の様子を示す図である。
【図９】第２実施形態のフィルタユニットを示す斜視図である。
【発明を実施するための形態】
【００１８】
以下、上記に基本形態について説明したフィルタユニットおよび電子機器の具体的な実施形態について、図面を参照して説明する。
【００１９】
先ず、第１実施形態について説明する。
【００２０】
図１は、基本形態について説明した電子機器の具体的な実施形態であるノート型のパーソナルコンピュータ（ノートＰＣ）の外観図である。
【００２１】
このノートＰＣ１００は、上記のように本体ユニット１１０と表示ユニット１２０とを備えている。これら本体ユニット１１０と表示ユニット１２０は、表示ユニット１２０が本体ユニット１１０に対し矢印Ａ方向に開閉自在となるように連結されている。この図１には、表示ユニット１２０が本体ユニット１１０に対し開いた状態にあるノートＰＣ１００の外観図が示されている。
【００２２】
ノートＰＣ１００の本体ユニット１１０は、本体筐体１１１内に、ハードディスク装置や各種基板等といった部品が収納されたものである。また、本体ユニット１１０は、その上面に、複数のキーが並べられたキーボード１１２、トラックパッド１１３を備えている。また、ノートＰＣ１００の表示ユニット１２０は、本体ユニット１１０で実行された情報処理結果をモニタ１２１に表示するものである。
【００２３】
図２は、図１の表示ユニットが本体ユニットに対し閉じた状態にあるパーソナルコンピュータを、表示ユニットを下側にして本体ユニットの下面が見えるように示した外観図である。
【００２４】
尚、この図２では、図１とは逆に、ノートＰＣ１００が、背面を手前側に向けて示されている。
【００２５】
本実施形態のノートＰＣ１００では、後述するように、本体ユニット１１０の内部の各種電子部品に対して冷却風を利用した冷却を行う冷却ユニットが使われている。この図２に示すように、本体筐体１１１には吸気口１１４が３箇所に設けられており、この吸気口１１４から冷却風が本体ユニット１１０の内部に取り入れられる。そして、各種電子部品で発生した熱を冷却ユニットによってその冷却風に吸収させることで、それら各種電子部品が冷却される。また、本体筐体１１１には排気口１１５が設けられている。そして、上記のように熱を吸収した冷却風がこの排気口１１５から本体ユニット１１０の外部に排気される。
【００２６】
また、本実施形態では、冷却風に混入した異物を除去するためのフィルタユニット１３０が、本体ユニット１１０の後述の開口に着脱自在に取り付けられている。
【００２７】
本実施形態の本体筐体１１１が、上述の基本形態における筐体の一例に相当する。また、フィルタユニット１３０が、基本形態について上述したフィルタユニットの具体的な実施形態に相当する。
【００２８】
図３は、図２に示すフィルタユニットが取り外された状態を示す図である。
【００２９】
本体筐体１１１には、排気口１１５と平行して延びる開口１１６が設けられている。この開口１１６は、次のような位置に設けられている。本体筐体１１１には、上記の吸気口１１４から空気を取り込んで排気口１１５へと向かわせることで冷却風を発生させる後述のファンが搭載されている。また、本体筐体１１１には、排気口１１５の近傍に設置され、この本体ユニット１１０内で発生した熱を集めて上記冷却風に放熱する役割を担う後述のラジエータも搭載されている。そして、上記の開口１１６は、本体筐体１１１における、このファンとラジエータとの間における冷却風の流路の一部を露呈させる位置に開けられている。開口１１６が、上述の基本形態における開口の一例に相当する。
【００３０】
フィルタユニット１３０は、この開口１１６に着脱自在に装着される。そして、フィルタユニット１３０は、ファンからラジエータを経て排気口１１５へと向かう冷却風に混入した異物を、冷却風の流路におけるラジエータの上流側で除く。
【００３１】
以下、この本体ユニット１１０内における、上記のファンおよびラジエータを含む冷却構造について説明する。
【００３２】
図４は、本体ユニット内における冷却構造を示す図である。
【００３３】
この図４には、本体ユニット１１０の下面を構成するパネルが取り外され、本体ユニット１１０の内部構造が露出された状態が示されている。また、この図４では、上記のフィルタユニット１３０も取り外されている。
【００３４】
本体ユニット１１０には、ノートＰＣ１００全体の制御を担っているＣＰＵ１４１や、そのＣＰＵ１４１等におけるデータ通信等を制御するチップセット１４２等の各種電子部品が搭載された回路基板１４０が収納されている。
【００３５】
回路基板１４０に搭載されているＣＰＵ１４１とチップセット１４２とは、各々信号処理を実行すると発熱する部品であり、発熱による誤動作等を回避するためにこのノートＰＣ１００の動作中は常時冷却される必要がある。本実施形態では、ＣＰＵ１４１とチップセット１４２との冷却のために、本体ユニット１１０に、以下に説明する冷却ユニット１５０が搭載されている。
【００３６】
この冷却ユニット１５０は、内部に冷却液が流される金属製の吸熱部であってＣＰＵ１４１が発する熱を吸収するＣＰＵ用吸熱部１５１と、２個のチップセット１４２それぞれが発する熱を吸収するチップセット用吸熱部１５２を備えている。そして、この冷却ユニット１５０の内部には、後述のパイプと相俟って、冷却液を後述のラジエータ１５４から出てこのラジエータ１５４へと戻るように導く、図中に矢印で示された流路を形成する隔壁１５３が備えられている。
【００３７】
また、冷却ユニット１５０は、ファン１５５を備え、さらに、ファン１５５からの風に曝される金属製の放熱フィンを有するラジエータ１５４を備えている。また、このラジエータ１５４は、内部に冷却液が流される液路も備えており、上記の放熱フィンがこの液路に接している。そして、この放熱フィン間を風が通り抜けることで液路中の冷却液が有する熱が放熱されることとなる。このラジエータ１５４が、上述の基本形態における被冷却物の一例に相当する。また、ファン１５５が、上述の基本形態におけるファンの一例に相当する。
【００３８】
このラジエータ１５４は、このラジエータ１５４から他へと冷却液を導く第１パイプ１５６と、このラジエータ１５４へと冷却液を導く第２パイプ１５７とによって上記の各吸熱部に繋がれている。そして、この冷却ユニット１５０は、冷却液を循環させるポンプ１５８を備えている。
【００３９】
図５は、図４のラジエータを詳細に示す斜視図である。
【００４０】
この図５に示すようにラジエータ１５４は、一端が第１パイプ１５６に繋がり、他端が第２パイプ１５７に繋がる、内部に冷却液が流される液路１５４Ａを備えている。さらに、このラジエータ１５４は、液路１５４Ａに接するとともに冷却風に曝されることで液路１５４ａ中の冷却液の熱を冷却風へと排出する放熱フィン１５４Ｂを備えている。そして、このラジエータ１５４では、これらの液路１５４Ａと放熱フィン１５４Ｂとが、ハウジング１５４Ｃに収納されている。
【００４１】
ここで、放熱フィン１５４ｂは、冷却風に対する放熱面積を多くするために、ファン１５５からの冷却風の進路と交差する方向に波打つ波型形状に成形されている。そして、冷却風は、この波型の放熱フィン１５４ｂと液路１５４ａとの隙間、および放熱フィン１５４ｂとハウジング１５４Ｃとの隙間という狭い流路を通って図３の排気口１１５へと向かう。
【００４２】
ところで、ノートＰＣ１００の内部には埃等の異物が存在していることが多く、冷却風にそれらの異物が混入することが多い。仮に、冷却風に混入した異物が、上記のように細かな構造を有している放熱フィン１５４ｂに目詰まりを起こさせてしまうと、冷却風の流れが妨げられ、延いては冷却ユニット１５０での冷却効率の低下を招いてしまう。
【００４３】
そこで、本実施形態では、図３に示すフィルタユニット１３０が、ファン１５４の送風口と、ラジエータ１５４において冷却風が吹き付けられる箇所との間の隙間に配置されるようになっている。図３に示す開口１１６は、上述したように、この隙間を露呈させる位置に開けられている。
【００４４】
以下、このフィルタユニット１３０について説明する。
【００４５】
図６は、図３に示すフィルタユニットの拡大斜視図である。
【００４６】
この図６に示すように、フィルタユニット１３０は、以下に説明するフィルタ本体１３１と、ブラシ１３２と、板バネ１３３とを備えている。フィルタ本体１３１が、上述の基本形態におけるフィルタ本体の一例に相当する。また、ブラシ１３２が、上述の基本形態における清掃具の一例に相当する。
【００４７】
フィルタ本体１３１は、本体筐体１１１に設けられた開口１１６に対して着脱自在に取り付けられることでその開口１１６の奥に位置する。また、このフィルタ本体１３１は、ラジエータ１５４Ｃへと流れる冷却風が通過することでその冷却風から、その冷却風に混入した異物を除くものである。
【００４８】
ブラシ１３２は、フィルタ本体１３１の、冷却風の流れを遮断する位置を避けた位置に、そのフィルタ本体１３１に対して着脱自在に設けられた、開口１１６を介して本体ユニット１１０の内部を清掃するためのものである。このブラシ１３２による清掃は、ユーザが異物の除去状況を目視確認しながら行えるため異物除去の効果が高い。
【００４９】
開口１１６からは、上記のラジエータ１５４において冷却風が吹き付けられる箇所にアクセスすることができる。このため、この開口１１６から、ラジエータ１５４に付着した異物を除去することができる。ここで、このラジエータ１５４に付着した異物は、フィルタ本体１３１で除去しきれなかった異物である。本実施形態では、冷却風に混入した異物のうち、このような取り残し分についても、ブラシ１３２による上記の高い除去効果によって余さず除去されることとなる。つまり、本実施形態では、このブラシ１３２による高い除去効果によって冷却風からの異物除去が向上している。
【００５０】
板バネ１３３は、矢印Ｂが示す長さ方向にフィルタ本体１３１を付勢するものである。詳細については後述するように、本実施形態では、この板バネ１３３によって、フィルタ本体１３１の、本体筐体１１１に対する着脱自在の取り付けが実現されている。
【００５１】
ここで、フィルタ本体１３１が冷却風から異物を除去する能力は、異物を漉し取る部分の目が細かい程高い。しかしながら、異物を漉し取る部分の目が細かい程、冷却風の流れを妨げて冷却効率を低下させてしまう。ところで、本実施形態では、上記のようにフィルタ本体１３１での取り残し分の異物の除去が、ブラシ１３２による高い除去効果によって保証される。このため、本実施形態では、ブラシ１３２による除去効果を見込んで、詳細については後述するように、フィルタ本体１３１において異物を漉し取る部分の目が粗くなっている。また、ブラシ１３２は、冷却風の流れを遮断する位置を避けた位置に配置されるので、このブラシ１３２による冷却効率の低下が抑えられている。つまり、本実施形態では、フィルタ本体１３１について、このように異物を漉し取る部分の目を粗くすることにより、冷却風の流れのスムーズ化、延いては冷却効率の向上が図られている。
【００５２】
このように、本実施形態では、冷却効率の低下が抑えられる位置に配置されたブラシ１３２による高い除去効果と、フィルタ本体１３１で異物を漉し取る部分の目を粗くすることとにより、冷却効率と異物除去との双方の向上が実現されている。
【００５３】
以下、上記の説明と若干重複する部分もあるが、フィルタユニット１３０について更に詳細に説明する。
【００５４】
上記のフィルタ本体１３１は、蓋１３１ａと複数のリブ１３１ｂとを有している。
【００５５】
蓋１３１ａは、フィルタユニット１３０が本体ユニット１１０に取り付けられた状態で、開口１１６を塞ぐものである。
【００５６】
複数のリブ１３１ｂは、フィルタユニット１３０が本体ユニット１１０に取り付けられた状態で、各々が、その蓋１３１ａから本体ユニット１１０の内部に向かって延びる複数の板である。また、これら複数のリブ１３１ｂは、冷却風の流れを横切る方向に並べられている。
【００５７】
本実施形態では、これら複数のリブ１３１ｂが、これら複数のリブ１３１ｂの間を通過する冷却風から異物を漉し取る役割を果たす。また、複数のリブ１３１ｂそれぞれには、互いに同じ位置に切込み１３１ｂ＿１が設けられている。
【００５８】
ブラシ１３２は、フィルタユニット１３０の一部を形成するものである。そして、上記の複数のリブ１３１ｂそれぞれに設けられた切込み１３１ｂ＿１に着脱自在に挿入される。また、本実施形態では、図６に示すように、ブラシ１３２は、上記の複数のリブ１３１ｂそれぞれに設けられた切込み１３１ｂ＿１に挿入された状態で、これら複数のリブ１３１ｂと交差する別のリブを兼ねる。ブラシ１３２の、このような取付け位置は、上記の複数のリブ１３１ｂの位置が冷却風の流れを遮断する位置を避けた位置であるのと同様に、冷却風の流れを遮断する位置を避けた位置となっている。
【００５９】
このブラシ１３２は、切込み１３１ｂ＿１に固定された状態で、フィルタユニット１３０を通過する冷却風から上記の複数のリブ１３１ｂとともに異物を除去する役割も果たすこととなる。つまり、このブラシ１３２は、フィルタ本体１３１に固定された状態でも、異物除去に貢献することとなっている。
【００６０】
このことは、上述の基本形態に対し、以下に説明する応用形態が好適であることを意味している。この応用形態では、上記フィルタ本体は、上記冷却風の流れを横切る方向に並べられた複数の第１リブを有するものとなっている。また、この応用形態では、上記清掃具が、上記フィルタ本体に着脱自在に固定される、上記複数の第１リブと交差する第２リブを兼ねたものとなっている。
【００６１】
本実施形態のフィルタ本体１３１は、この応用形態におけるフィルタ本体の一例にも相当している。また、本実施形態のブラシ１３２は、この応用形態における清掃具の一例にも相当している。さらに、本実施形態の複数のリブ１３１ｂが、この応用形態における複数の第１リブの一例に相当する。また、本実施形態のブラシ１３２が兼ねる上記の別のリブが、この応用形態における第２リブの一例に相当する。
【００６２】
板バネ１３３は、上述したように矢印Ｂが示す長さ方向にフィルタ本体１３１を付勢するものである。フィルタユニット１３０が開口１１６に挿入されると、この板バネ１３３によってフィルタ本体１３１は矢印Ｂが示す長さ方向に本体筐体１１１に押し付けられる。そして、その板バネ１３３による押付け作用によってフィルタ本体１３１、延いてはフィルタユニット１３０が本体筐体１１１に固定されることとなる。また、フィルタユニット１３０の取外しの際には、ユーザがこの板バネ１３３を指で押し縮めて本体筐体１１１から外すことで、フィルタユニット１３０が本体筐体１１１から取り外されることとなる。
【００６３】
次に、ブラシ１３２の詳細について説明する。
【００６４】
図７は、図６に示す複数のリブそれぞれに設けられた切込みからブラシが取り外された様子を示す図である。
【００６５】
このブラシ１３２は、上記の切込み１３１ｂ＿１に納まる厚みを有する板状の柄１３２ａと、その柄１３２ａの先端に植毛された毛１３２ｂとを有している。そして、ブラシ１３２は、この切込み１３１ｂ＿１から取り外されて、以下に説明する清掃に使われる。
【００６６】
図８は、図７に示すブラシを使った清掃の様子を示す図である。
【００６７】
この図８に示すように、清掃の際には、ブラシ１３２は、フィルタユニット１３０が取り外された後に空いている開口１１６から、ファン１５５とラジエータ１５４との間における冷却風の流路の一部に挿入される。そして、上記のラジエータ１５４における、ファン１５５と向き合って冷却風が吹き付けられる箇所を中心に、この流路の一部が、上記の開口１１６から挿入されたブラシ１３２で清掃される。
【００６８】
このブラシ１３２による清掃で除去される、上記のラジエータ１５４に付着した異物は、上述したようにフィルタ本体１３１での取り残し分である。本実施形態では、このような取り残し分の異物をさらに除去するために、ブラシ１３２が用意されている。そして、本実施形態では、このブラシ１３２による除去効果を見込んで、フィルタ本体１３１での異物の除去能力が以下のように抑えられている。
【００６９】
冷却風に混入した異物に対するフィルタユニット１３０の除去能力は、その冷却風から異物を漉し取る上記のリブ１３２の数が多く、異物を漉し取る部分の目が細かい程高い。一方で、このリブ１３２の数が多いほど、異物を漉し取る部分の目が詰まり冷却風の流れを妨げて冷却効率を低下させてしまう。
【００７０】
本実施形態では、上記のリブ１３２の数が、冷却風の流れを所定程度以上に妨げない数に抑えられている。そして、リブ１３２の数が抑えられた分だけ低下した異物の除去能力が、上記のブラシ１３２による上述した高い除去効果によって補われることとなっている。また、このブラシ１３２の取付け位置についても、上述したように、冷却風の流れを遮断する位置を避けるように配慮されている。即ち、本実施形態では、ブラシ１３２による高い除去効果を見込んでリブ１３２の数を抑えることで冷却効率の向上が図られている。また、冷却風からの異物除去についても、上述したようにブラシ１３２による高い除去効果によって向上が図られている。本実施形態では、このように、冷却効率と異物除去との双方の向上が実現されている。
【００７１】
次に、第２実施形態について説明する。
【００７２】
この第２実施形態は、フィルタユニットが、上述の第１実施形態のフィルタユニットとは異なっている。一方で、この第２実施形態は、フィルタユニットが搭載されるノートＰＣについては上述の第１実施形態のノートＰＣ１００と同等である。そこで、以下では、第２実施形態のノートＰＣについての図示と重複説明とを割愛し、第１実施形態との上記の相違点に注目した説明を行う。尚、以下では、第１実施形態のノートＰＣ１００を示す図１を適宜に参照する。
【００７３】
図９は、第２実施形態のフィルタユニットを示す斜視図である。
【００７４】
尚、この図９では、図６に示されている第１実施形態のフィルタユニット１３０の構成要素と同等な構成要素については、この図６と同じ符号が付されており、以下では、これら同等な構成要素についての重複説明を省略する。
【００７５】
この図９に示すフィルタユニット２００は、フィルタ本体２１０と、このフィルタ本体２１０に一体的に固定されているブラシ２２０と、上述の第１実施形態と同様の板バネ１３３とを備えている。フィルタ本体２１０が、上述の基本形態におけるフィルタ本体の一例に相当する。また、ブラシ２２０が、上述の基本形態における清掃具の一例に相当する。
【００７６】
フィルタ本体２１０は、蓋１３１ａと、この蓋１３１ａと平行に延びる横リブ２１１と、この横リブ２１１と交差して並列される複数の縦リブ２１２とを有している。本実施形態では、フィルタユニット２００を通過する冷却風に混入した異物は、上記の横リブ２１１と複数の縦リブ２１２とで形成される格子によって漉し取られることとなる。
【００７７】
また、ブラシ２２０は、上記の蓋１３１ａに、フィルタユニット２００の本体筐体１１１への装着時に冷却風の流れの脇に配置されるように立設された柄２２１と、その柄２２１の先端に植毛された毛２２２とを有している。
【００７８】
本実施形態では、このブラシ２２０が、上記の本体ユニット１１０の開口１１６から、フィルタユニット２２０ごと挿入される。本実施形態では、上記の複数の縦リブ２１２のうち最もブラシ２２０側の縦リブ２１２と、ブラシ２２０との間に、このブラシ２２０の挿入を妨げないだけの空間が設けられている。このブラシ２２０によって、上記のラジエータ１５４Ｃに付着した異物が除去されることとなっている。
【００７９】
そして、本実施形態においても、上述の第１実施形態と同様に、このブラシ２２０による高い除去効果を見込んで縦リブ２１２の数を抑えることで、冷却風を利用した冷却方法の冷却効率の向上が図られている。また、そのブラシ２２０による高い除去効果によって、異物除去についても向上が図られている。つまり、本実施形態においても、上述の第１実施形態と同様に、冷却効率と異物除去との双方の向上が実現されている。
【００８０】
また、本実施形態では、ブラシ２２０が、フィルタ本体２１０と一体となっていることで、このブラシ２２０の紛失が確実に回避されている。
【００８１】
このことは、上述の基本形態に対し、以下に説明する応用形態が好適であることを意味している。この応用形態では、上記フィルタ本体は、上記開口を塞ぐ蓋を有しているものとなっている。また、この応用形態では、上記清掃具は、上記蓋から上記冷却風の流れの脇へと延びた柄と、その柄の先端に取り付けられた、上記異物を除去するための除去部材とを有するものとなっている。
【００８２】
本実施形態のフィルタ本体２１０は、この応用形態におけるフィルタ本体の一例にも相当している。また、本実施形態のブラシ２２０は、この応用形態における清掃具の一例にも相当している。また、本実施形態のブラシ２２０における上記の毛２２２が、この応用形態における除去部材の一例に相当する。
【００８３】
尚、上記では、基本形態について上述した電子機器の一実施形態としてノートＰＣ１００を例示したが、基本形態について上述した電子機器はこれに限るものではない。基本形態について上述した電子機器は、例えばデスクトップ型のパーソナルコンピュータ等のように、被冷却物を冷却風で冷却する一般的な電子機器であっても良い。
【００８４】
また、上記では、上述の基本形態における清掃具の一例として、フィルタ本体に着脱自在に固定されるとともに、冷却風から異物を漉し取るリブの役割も果たすブラシ１３３を例示したが、上述の基本形態における清掃具はこれに限るものではない。上述の基本形態における清掃具は、上記のようなリブの役割は果たさず、単にフィルタ本体に着脱自在に固定されるものであっても良い。
【００８５】
また、上記では、上述の基本形態における清掃具の一例として、ブラシ１３３，２２０を例示したが、上述の基本形態における清掃具はこれに限るものではない。上述の基本形態における清掃具は、例えば綿棒や、所定の柄の先端を不織布で覆ったもの等であっても良い。
【００８６】
また、上記では、フィルタ本体の蓋から延びる柄の先端に除去部材が取付けられてなる清掃具を有するタイプの応用形態における除去部材の一例として、柄２２１の先端に植毛された毛２２２を例示した。しかしながら、この応用形態における除去部材はこれに限るものではなく、例えば、上記の柄の先端を覆う不織布等であっても良い。
【符号の説明】
【００８７】
１００    ノートＰＣ
１１０    本体ユニット
１１１    本体筐体
１１２    キーボード
１１３    トラックパッド
１１４    吸気口
１１５    排気口
１１６    開口
１１７    ファン
１２０    表示ユニット
１２１    モニタ
１３０    フィルタユニット
１３１    フィルタ本体
１３１ａ    蓋
１３１ｂ    リブ
１３１ｂ＿１    切込み
１３２    ブラシ
１３２ａ    柄
１３２ｂ    毛
１３３    板バネ
１４０    回路基板
１４１    ＣＰＵ
１４２    チップセット
１５０    冷却ユニット
１５１    ＣＰＵ用吸熱部
１５２    チップセット用吸熱部
１５３    隔壁
１５４    ラジエータ
１５４Ａ    液路
１５４Ｂ    放熱フィン
１５４Ｃ    ハウジング
１５５    ファン
２００    フィルタユニット
２１０    フィルタ本体
２１１    横リブ
２１２    縦リブ
２２０    ブラシ
２２１    柄
２２２    毛
【図１】
2010283018.tif 000003
【図２】
2010283018.tif 000004
【図３】
2010283018.tif 000005
【図４】
2010283018.tif 000006
【図５】
2010283018.tif 000007
【図６】
2010283018.tif 000008
【図７】
2010283018.tif 000009
【図８】
2010283018.tif 000010
【図９】
2010283018.tif 000011